(57)【要約】【課題】  面倒な検索作業を行うことなく、購入を希望する商品についてクーポンが提供されているか否かを容易に確認することができるとともに、購入を希望する商品がクーポン対象商品である場合にクーポンを容易に取得できる携帯通信端末装置、クーポン管理装置、クーポン管理システムおよびクーポン管理プログラムを提供する。【解決手段】  携帯端末２００は、プライスカード１００が記憶する情報を読み取り、クーポン予約情報５００に記憶し、店舗端末４００に送信する。クーポン情報６００は、クーポン対象商品に関するクーポン対象情報と、クーポンそのものとして使用することができるクーポン表示用データとを記憶する。店舗端末４００は、受信したクーポン予約情報とクーポン対象商品に関する情報とを照合し、一致する場合に、クーポン対象情報とクーポン表示用データとを携帯端末２００に送信する。【選択図】  図１
2006227901.tif 000002
【特許請求の範囲】
【請求項１】
個々の商品の商品名を特定する商品名特定情報を含むクーポン予約情報を送信する携帯通信端末と通信を行い、商品の販売促進情報が記載されたクーポンを提供するクーポン管理装置であって、
クーポンを提供する対象の商品であるクーポン対象商品の商品名特定情報を含むクーポン対象情報とクーポン対象商品のクーポンとして使用可能なクーポン表示情報とをあらかじめ記憶するクーポン情報記憶手段と、
前記携帯通信端末装置からクーポン予約情報を受信し、クーポン予約情報とクーポン対象情報とを照合し、照合した結果に基づいてクーポン取得情報を前記携帯通信端末装置に送信するクーポン情報照合手段と
を備えたことを特徴とするクーポン管理装置。
【請求項２】
クーポン情報照合手段は、クーポン予約情報とクーポン対象情報との商品名特定情報が一致する場合に、クーポン対象情報と対応するクーポン表示情報とをクーポン取得情報として送信する
請求項１記載のクーポン管理装置。
【請求項３】
クーポン情報照合手段は、クーポンを使用可能な期間を示す情報を含むクーポン対象情報を記憶し、処理当日がクーポンを使用可能な期間に含まれる場合に、クーポン対象情報と対応するクーポン表示情報とをクーポン取得情報として送信する
請求項２記載のクーポン管理装置。
【請求項４】
クーポン予約情報を商品名特定情報に応じて集計し、表示する集計表示手段を備えた
請求項３記載のクーポン管理装置。
【請求項５】
クーポン情報照合手段は、クーポンを使用可能な期間が処理当日以降である場合に、クーポン対象情報と対応するクーポン表示情報とをクーポン取得情報として送信する
請求項４記載のクーポン管理装置。
【請求項６】
商品の販売促進情報が記載されたクーポンを表示可能な携帯通信端末装置と、クーポンを提供するクーポン管理装置とを備えたクーポン管理システムであって、
前記携帯通信端末装置は、
個々の商品の商品名を特定する商品名特定情報を記憶可能な記憶部材が付随されて商品に関する情報を表示する商品名表示手段から商品名特定情報を読み取る読み取り手段と、
前記読み取り手段が読み取った商品名特定情報を含むクーポン予約情報を前記クーポン管理装置に送信するクーポン予約情報送信手段と、
前記クーポン管理装置から受信した情報を表示する表示手段とを備え、
前記クーポン管理装置は、
クーポンを提供する対象の商品であるクーポン対象商品の商品名特定情報を含むクーポン対象情報とクーポン対象商品のクーポンとして使用可能なクーポン表示情報とをあらかじめ記憶するクーポン情報記憶手段と、
前記携帯通信端末装置からクーポン予約情報を受信し、クーポン予約情報とクーポン対象情報とを照合し、照合した結果に基づいてクーポン取得情報を前記携帯通信端末装置に送信するクーポン情報照合手段と
を備えたことを特徴とするクーポン管理システム。
【請求項７】
クーポンを提供する対象の商品に関する情報と携帯通信端末から受信した情報とを照合し、照合した結果に基づいて商品の販売促進情報が記載されたクーポンとして使用可能なクーポン表示情報を送信するクーポン管理装置と通信を行う携帯通信端末装置であって、
個々の商品の商品名を特定する商品名特定情報を記憶可能な記憶部材が付随されて商品に関する情報を表示する商品名表示手段から商品名特定情報を読み取る読み取り手段と、
前記読み取り手段が読み取った商品名特定情報を含むクーポン予約情報を前記クーポン管理装置に送信するクーポン予約情報送信手段と、
前記クーポン管理装置から受信した前記クーポン表示情報を表示する表示手段と
を備えたことを特徴とする携帯通信端末装置。
【請求項８】
個々の商品の商品名を特定する商品名特定情報を含むクーポン予約情報を送信する携帯通信端末と通信を行い、商品の販売促進情報が記載されたクーポンを提供するクーポン管理装置に搭載されるクーポン管理プログラムであって、
クーポンを提供する対象の商品であるクーポン対象商品の商品名特定情報を含むクーポン対象情報とクーポン対象商品のクーポンとして使用可能なクーポン表示情報とをあらかじめ記憶する処理と、
前記携帯通信端末装置からクーポン予約情報を受信し、クーポン予約情報とクーポン対象情報とを照合し、照合した結果に基づいてクーポン取得情報を前記携帯通信端末装置に送信する処理と
を実行させるためのクーポン管理プログラム。
【発明の詳細な説明】
【技術分野】
【０００１】
本発明は、商品やサービスに関する特典が得られるクーポンの対象であるか否かを確認するクーポン管理装置、クーポン管理システム、携帯通信端末装置およびクーポン管理プログラムに関する。
【背景技術】
【０００２】
集客効果や購買意欲の促進を期待して、小売店が商品の割引などの特典を付与したクーポン券を発行することが広く行われている。なお、以下の説明では、いわゆるクーポン広告などの、小売店や商品のメーカーが集客を目的に販売促進情報として提供する割引券付き広告をクーポンと表現する。
【０００３】
インターネットの普及に伴い、クーポンが紙で作成されて提供されるだけではなく、画像データによって提供されることが一般的となってきている。利用者は、インターネットを介して、携帯電話機やパーソナルコンピュータにクーポンを受信し、紙に印刷するか、携帯電話機にクーポンを記憶させるなどして店舗に持参することにより、商品やサービスに関する特典を得ることができる。
【０００４】
使い勝手がよく、安全な電子クーポンシステムとして、利用者は、携帯電話機またはパーソナルコンピュータを用いて電子クーポンの情報を検索し、電子クーポンを取り扱っている小売店に出向いて商品又はサービスを購入することができ、小売店は、電子クーポンの使用に伴って収集される情報を有効活用できるシステムが提案されている（例えば、特許文献１参照）。
【０００５】
【特許文献１】特開２００２−１１７３１３号公報（段落００６９−００７４）
【発明の開示】
【発明が解決しようとする課題】
【０００６】
しかし、特許文献１に記載された方式では、利用者は、購入を希望する商品についてクーポンが提供されているか否かを確認するためには、検索条件を入力して、検索を行う必要があり、面倒であるという問題がある。
【０００７】
また、クーポンを提供するか否かの決定は、小売店側の意志によって決まるため、利用者がクーポン利用対象としてほしいと考える商品についてクーポンが提供されているとは限らない。そのため、クーポンを提供することが利用者の購買意欲の喚起につながらない場合がある。
【０００８】
小売店にとっては、クーポンを提供する対象の商品であるクーポン対象商品が何であるかを利用者に伝える必要がある。そのために、チラシ、ダイレクトメール、Ｗｅｂサイト、電子メールなどの手段により広告宣伝費をかけている。しかし、利用者がクーポン対象商品が何かを店頭で認識した場合、店頭ではクーポンを取得することができないために購入に至らない場合がある。
【０００９】
そこで、本発明は、面倒な検索作業を行うことなく、購入を希望する商品についてクーポンが提供されているか否かを容易に確認することができるとともに、購入を希望する商品がクーポン対象商品である場合にクーポンを容易に取得できるクーポン管理装置、クーポン管理システム、携帯通信端末装置およびクーポン管理プログラムを提供することを目的とする。
【課題を解決するための手段】
【００１０】
本発明によるクーポン管理装置は、個々の商品の商品名を特定する商品名特定情報を含むクーポン予約情報を送信する携帯通信端末と通信を行い、商品の販売促進情報が記載されたクーポンを提供するクーポン管理装置であって、クーポンを提供する対象の商品であるクーポン対象商品の商品名特定情報を含むクーポン対象情報とクーポン対象商品のクーポンとして使用可能なクーポン表示情報とをあらかじめ記憶するクーポン情報記憶手段と、携帯通信端末装置からクーポン予約情報を受信し、クーポン予約情報とクーポン対象情報とを照合し、照合した結果に基づいてクーポン取得情報を携帯通信端末装置に送信するクーポン情報照合手段とを備えたことを特徴とする。
【００１１】
クーポン情報照合手段は、クーポン予約情報とクーポン対象情報との商品名特定情報が一致する場合に、クーポン対象情報と対応するクーポン表示情報とをクーポン取得情報として送信してもよい。そのような構成によれば、クーポン予約情報として読み取った商品がクーポン対象商品であるか否かを容易に確認することができるとともに、クーポン対象商品である場合にはクーポンを取得することができる。
【００１２】
クーポン情報照合手段は、クーポンを使用可能な期間を示す情報を含むクーポン対象情報を記憶し、処理当日がクーポンを使用可能な期間に含まれる場合に、クーポン対象情報と対応するクーポン表示情報とをクーポン取得情報として送信してもよい。そのような構成によれば、利用者が携帯通信端末装置を用いてクーポン管理装置にクーポン予約情報を送信した当日に、クーポン予約情報として読み取った商品がクーポン対象商品であるか否かを容易に確認することができるとともに、クーポン対象商品である場合にはクーポンを取得することができる。
【００１３】
クーポン予約情報を商品名特定情報に応じて集計し、表示する集計表示手段を備えていてもよい。そのような構成によれば、小売店は、利用者が送信したクーポン予約情報を集計し、販売戦略や意志決定に役立てることができる。
【００１４】
クーポン情報照合手段は、クーポンを使用可能な期間が処理当日以降である場合に、クーポン対象情報と対応するクーポン表示情報とをクーポン取得情報として送信してもよい。そのような構成によれば、利用者は、当日有効なクーポンだけでなく、将来有効となるクーポンについても取得することができる。
【００１５】
本発明によるクーポン管理システムは、商品の販売促進情報が記載されたクーポンを表示可能な携帯通信端末装置と、クーポンを提供するクーポン管理装置とを備えたクーポン管理システムであって、携帯通信端末装置は、個々の商品の商品名を特定する商品名特定情報を記憶可能な記憶部材が付随されて商品に関する情報を表示する商品名表示手段から商品名特定情報を読み取る読み取り手段と、読み取り手段が読み取った商品名特定情報を含むクーポン予約情報をクーポン管理装置に送信するクーポン予約情報送信手段と、クーポン管理装置から受信した情報を表示する表示手段とを備え、クーポン管理装置は、クーポンを提供する対象の商品であるクーポン対象商品の商品名特定情報を含むクーポン対象情報とクーポン対象商品のクーポンとして使用可能なクーポン表示情報とをあらかじめ記憶するクーポン情報記憶手段と、携帯通信端末装置からクーポン予約情報を受信し、クーポン予約情報とクーポン対象情報とを照合し、照合した結果に基づいてクーポン取得情報を携帯通信端末装置に送信するクーポン情報照合手段とを備えたことを特徴とする。
【００１６】
本発明による携帯通信端末装置は、クーポンを提供する対象の商品に関する情報と携帯通信端末から受信した情報とを照合し、照合した結果に基づいて商品の販売促進情報が記載されたクーポンとして使用可能なクーポン表示情報を送信するクーポン管理装置と通信を行う携帯通信端末装置であって、個々の商品の商品名を特定する商品名特定情報を記憶可能な記憶部材が付随されて商品に関する情報を表示する商品名表示手段から商品名特定情報を読み取る読み取り手段と、読み取り手段が読み取った商品名特定情報を含むクーポン予約情報をクーポン管理装置に送信するクーポン予約情報送信手段と、クーポン管理装置から受信したクーポン表示情報を表示する表示手段とを備えたことを特徴とする。
【００１７】
本発明によるクーポン管理プログラムは、個々の商品の商品名を特定する商品名特定情報を含むクーポン予約情報を送信する携帯通信端末と通信を行い、商品の販売促進情報が記載されたクーポンを提供するクーポン管理装置に搭載されるクーポン管理プログラムであって、クーポンを提供する対象の商品であるクーポン対象商品の商品名特定情報を含むクーポン対象情報とクーポン対象商品のクーポンとして使用可能なクーポン表示情報とをあらかじめ記憶する処理と、携帯通信端末装置からクーポン予約情報を受信し、クーポン予約情報とクーポン対象情報とを照合し、照合した結果に基づいてクーポン取得情報を携帯通信端末装置に送信する処理とを実行させることを特徴とする。
【発明の効果】
【００１８】
本発明によれば、携帯通信端末装置を商品名表示手段にかざし、クーポン管理装置と通信を行うだけで、その商品がクーポン対象商品であるか否かを容易に確認することができるとともに、クーポン対象商品である場合にはクーポンを取得することができる。したがって、利用者にとっては、面倒な検索作業が不要であることから気軽に確認してクーポンを取得することができ、有利に買い物をすることができる。小売店にとっては、集客効果や購買意欲の促進を期待できるという効果がある。また、小売店は、利用者が送信したクーポン予約情報を集計し、販売戦略や意志決定に役立てることができるという効果がある。利用者は、当日有効なクーポンだけでなく、将来有効となるクーポンについても取得することができるため、より有利な商品の購入計画を立てることができるという効果がある。
【発明を実施するための最良の形態】
【００１９】
実施の形態１．
以下、本発明の第１の実施の形態を図面を参照して説明する。図１は、本発明によるクーポン管理システムの第１の実施の形態を示すブロック図である。図１に示すクーポン管理システムは、プライスカード１００と、携帯端末２００と、店舗端末４００と、クーポン予約情報５００と、クーポン情報６００とを備える。
【００２０】
図１に示すように、小売店における商品または商品棚に、プライスカード１００が設置される。プライスカード１００は、利用者に商品名や価格を示すためのカードである。なお、商品が発売前である場合、小売店における商品は陳列されずにプライスカードが設置されるだけであってもよい。
【００２１】
携帯端末２００は、クーポン予約情報５００を有する携帯電話機やＰＤＡ（Ｐｅｒｓｏｎａｌ  Ｄｉｇｉｔａｌ  Ａｓｓｉｓｔａｎｔｓ）などの携帯機器であり、プライスカード１００や店舗端末４００と通信を行う。
【００２２】
小売店に来店した利用者は、購入を検討している商品や、クーポンによって特典が付与されるのであれば購入したいと考えている商品がある場合に、携帯端末２００を用いてプライスカード１００が記憶する情報を読み取り、クーポン予約情報５００に記憶させるための作業を行う。クーポン予約情報５００は、プライスカード１００が記憶する情報を記憶するための記憶装置である。
【００２３】
店舗端末４００は、クーポン情報６００を備える情報処理装置である。クーポン情報６００は、クーポン対象商品に関する情報と、クーポンそのものとして使用することができるデータとを記憶する記憶装置である。店舗端末４００は、小売店に設置されるパーソナルコンピュータなどで実現される。利用者は、携帯端末２００と店舗端末４００とを用いて、購入を検討している商品がクーポン対象商品であるか否かを確認し、クーポン対象商品である場合に、クーポン対象商品に関する情報と、クーポンそのものとして使用することができるデータとを取得することができる。
【００２４】
図２は、プライスカード１００の構成例を示すブロック図である。プライスカード１００は、タグ１０１を備える。タグ１０１は、例えば、一次元バーコードおよび二次元バーコードなどのバーコードや、ＲＦＩＤなどのＩＣタグなどであって、タグ１０１が取り付けられるプライスカードが示す商品の商品名を特定可能な情報である商品コードや店舗を特定可能な情報である店舗コードなどの情報を有する。
【００２５】
図３は、第１の実施の形態における携帯端末２００の構成例を示すブロック図である。携帯端末２００は、タグ読み取り手段２０１と、タグデータ保存手段２０２と、クーポン予約情報送信手段２０３と、近距離通信手段２０４と、表示手段２０５と、クーポン予約情報５００とを備える。なお、第１の実施の形態では、携帯端末２００として携帯電話機を例示して説明する。
【００２６】
タグ読み取り手段２０１は、タグ１０１が有する商品コードや店舗コードなどの情報を読み取る機能を有する。タグ読み取り手段２０１は、例えば、バーコードを読み込むカメラや、ＩＣタグを読み込むＩＣタグリーダなどで実現される。
【００２７】
タグデータ保存手段２０２は、タグ読み取り手段２０１が読み取った商品コードや店舗コードなどの情報を、クーポン予約情報５００に出力する処理を実行する機能を有する。
【００２８】
クーポン予約情報５００は、タグデータ保存手段２０２が出力する商品コードや店舗コードなどの情報を、クーポン予約情報として記憶する記憶装置である。図４は、クーポン予約情報５００に記憶されるクーポン予約情報の一例を示す説明図である。図４に示すように、クーポン予約情報は、商品を特定するための「商品コード」と店舗を特定するための「店舗コード」とを含む情報である。図４では、タグ読み取り手段２０１によって、商品「苗Ａ」、「苗Ｂ」、「種Ｘ」および「鉢物Ｙ」のタグ１０１が有する「商品コード」および「店舗コード」が読み取られ、クーポン予約情報５００に記憶された場合のクーポン予約情報の例を示す。図４に示す例では、「苗Ａ」の商品コードが「１００１」、「苗Ｂ」の商品コードが「１００２」、「種Ｘ」の商品コードが「２００４」、「鉢物Ｙ」の商品コードが「３００５」であり、店舗コードは全て「１２３４」である場合を示す。
【００２９】
クーポン予約情報送信手段２０３は、クーポン予約情報５００に記憶されている情報を近距離通信手段２０４に出力する機能を有する。
【００３０】
近距離通信手段２０４は、店舗端末４００との通信を行う機能を有する。近距離通信手段２０４は、例えば、赤外線通信機能、ｂｌｕｅｔｏｏｔｈ（登録商標）通信機能および近距離無線通信機能などで実現される。
【００３１】
表示手段２０５は、例えば液晶表示装置や有機ＥＬ（Ｅｌｅｃｔｒｏｌｕｍｉｎｅｓｃｅｎｃｅ）ディスプレイ装置等のディスプレイ装置によって実現され、情報を表示する。
【００３２】
図５は、第１の実施の形態における店舗端末４００の構成例を示すブロック図である。店舗端末４００は、近距離通信手段４０１と、クーポンデータ照合手段４０２と、クーポン情報６００とを備える。
【００３３】
クーポン情報６００は、クーポン対象情報とクーポン表示用データとを記憶する記憶装置である。クーポン対象情報は、クーポン対象商品に関する情報であり、クーポン表示用データは、クーポンそのものとして使用することができるデータである。
【００３４】
クーポン対象情報は、クーポン対象商品の「商品コード」およびクーポンの「有効期限」を含む情報である。図６は、第１の実施の形態におけるクーポン対象情報の一例を示す説明図である。図６に示す例では、クーポン対象商品の商品コードが、「１００２（苗Ｂ）」、「１００３（苗Ｃ）」、「２００４（種Ｘ）」および「３００５（鉢物Ｙ）」であって、クーポンの有効期限がそれぞれ「本日有効」、「本日有効」、「本日有効」および「来週から」である場合を示す。
【００３５】
クーポン表示用データは、それぞれのクーポン対象商品のクーポンそのものとして使用することができるデータである。図７は、第１の実施の形態におけるクーポン表示用データの一例を示す説明図である。クーポン表示用データは、店舗名、商品名、割引率などの特典および有効期限などの情報を含む（図７（Ａ）参照）。また、クーポン表示用データは、２次元バーコードの情報を含んでもよい（図７（Ｂ）参照）。なお、クーポン対象情報およびクーポン表示用データは、小売店の販売戦略等により、日々更新される。
【００３６】
近距離通信手段４０１は、携帯端末２００との通信を行う機能を有する。近距離通信手段４０１は、例えば、赤外線通信機能、ｂｌｕｅｔｏｏｔｈ通信機能および近距離無線通信機能などで実現される。
【００３７】
クーポンデータ照合手段４０２は、クーポン情報６００が記憶するクーポン対象情報と携帯端末２００が送信するクーポン予約情報とを照合し、クーポン取得情報を作成する処理を実行する機能を有する。クーポン取得情報は、商品コードが一致するとともに有効期限が処理当日を含む商品に対応したクーポン対象情報とクーポン表示用データとを含む情報である。クーポンデータ照合手段４０２は、近距離通信手段４０１を介して携帯端末２００に、クーポン取得情報を出力する。
【００３８】
第１の実施の形態において、携帯通信端末装置は、携帯端末２００によって実現される。読み取り手段は、タグ読み取り送信手段２０１によって実現される。クーポン予約情報送信手段は、クーポン予約情報送信手段２０３と近距離通信手段２０４とによって実現される。クーポン管理装置は、店舗端末４００によって実現される。クーポン情報記憶手段は、クーポン情報６００によって実現される。クーポン情報照合手段は、近距離通信手段４０１とクーポンデータ照合手段４０２とによって実現される。
【００３９】
次に、図８および図９を参照して本発明の第１の実施の形態の動作について説明する。図８は、第１の実施の形態のクーポン管理システムの動作を示すフローチャートである。図９は、第１の実施の形態のクーポン管理システムの動作の概要を示す説明図である。
【００４０】
図９に示すように、店舗に商品として「苗Ａ」、「苗Ｂ」、「苗Ｃ」、「種Ｘ」および「鉢物Ｙ」が陳列されているとして説明する。それぞれの商品または陳列棚に設置されているプライスカード１００には、タグ１０１が付随している。利用者が、携帯端末２００のタグ読み取り手段２０１をプライスカード１００に近づけると、タグ読み取り手段２０１が、プライスカード１００に付随するタグ１０１が有する情報（タグ情報）を読み込み、タグデータ保存手段２０２に出力する（ステップＳ８０１）。
【００４１】
タグデータ保存手段２０２は、クーポン予約情報５００にタグ情報を記憶する（ステップＳ８０２）。利用者は、好みの商品のタグ情報を次々に読み込んでもよい。その場合は、ステップＳ８０１およびステップＳ８０２の処理を、好みの商品の数だけ繰り返す。ここでは、利用者が、「苗Ａ」、「苗Ｂ」、「種Ｘ」および「鉢物Ｙ」のタグ情報を読み込み、クーポン予約情報として、商品コード「１００１（苗Ａ）」、「１００２（苗Ｂ）」、「２００４（種Ｘ）」、「３００５（鉢物Ｙ）」のデータが記憶された場合を例示して説明する（図４参照）。
【００４２】
利用者が店舗に設置される店舗端末４００のある場所に行き、携帯端末２００と店舗端末４００とを近距離通信手段２０４を介して通信させると、クーポン予約情報送信手段２０３は、クーポン予約情報を近距離通信手段２０４を介して店舗端末４００に送信する（ステップＳ８０３）。
【００４３】
店舗端末４００の近距離通信手段４０１は、携帯端末２００が送信したクーポン予約情報をクーポンデータ照合手段４０２に出力する。クーポンデータ照合手段４０２は、クーポン予約情報とクーポン情報６００が記憶するクーポン対象情報とを照合し（ステップＳ８０４）、商品コードが一致するとともに有効期限が処理当日を含む商品があるか否かを判定する（ステップＳ８０５）。ここで、クーポン情報６００が記憶するクーポン対象情報が、商品コードが「１００２（苗Ｂ）」、「１００３（苗Ｃ）」、「２００４（種Ｘ）」および「３００５（鉢物Ｙ）」であって、クーポンの有効期限がそれぞれ「本日有効」、「本日有効」、「本日有効」および「来週から」である場合を例示して説明する（図６参照）。
【００４４】
ステップＳ８０５において、商品コードが一致するとともに有効期限が処理当日を含む商品がある場合、クーポンデータ照合手段４０２は、該当する商品に対応したクーポン対象情報とクーポン表示用データとを含むクーポン取得情報を作成する。クーポンデータ照合手段４０２は、近距離通信手段４０１を介して、携帯端末２００にクーポン取得情報を出力する（ステップＳ８０６）。
【００４５】
図４および図６を参照すると、商品コードが一致するとともに有効期限が処理当日を含む商品は、商品コードが「１００２（苗Ｂ）」および「２００４（種Ｘ）」の商品である。図１０は、第１の実施の形態におけるクーポン取得情報の一例を示す説明図である。図１０に示す例では、クーポン取得情報は、商品名が「苗Ｂ」および「種Ｘ」であり、有効期限がそれぞれ「本日有効」のデータである。
【００４６】
携帯端末２００の近距離通信手段２０４は、店舗端末４００が送信するクーポン取得情報を受信し、表示手段２０５に出力する。表示手段２０５は、クーポン取得情報に含まれるクーポン対象情報を表示する（ステップＳ８０７）。利用者が、クーポン対象情報が表示された画面上において、任意の商品の商品名を選択すると、クーポンとして、選択した商品に対応するクーポン表示用データが表示される（図７参照）。
【００４７】
利用者は、表示されたクーポンを店舗等で提示し、特典を受けることができる（ステップＳ８０８）。なお、利用者が、２次元バーコードが表示されたクーポン（図７（Ｂ）参照）を店舗等で提示し、店舗が所有するＰＯＳ（Ｐｏｉｎｔ  Ｏｆ  Ｓａｌｅｓ）端末装置が備える２次元バーコードリーダが２次元バーコードを読み取ることにより、クーポンを確認してもよい。また、携帯端末２００が、赤外線通信、Ｂｌｕｅｔｏｏｔｈ通信などの方法により、ＰＯＳ端末装置にクーポン表示用データを送信し、精算してもよい。利用者が、表示されたクーポンを印刷し、印刷したクーポンを店舗等で提示してもよい。
【００４８】
一方、ステップＳ８０５において、商品コードが一致するとともに有効期限が処理当日を含む商品がない場合、クーポンデータ照合手段４０２は、クーポン対象商品が存在しない旨の情報を作成し、近距離通信手段４０１を介して、携帯端末２００に送信する（ステップＳ８０９）。
【００４９】
携帯端末２００の近距離通信手段２０４は、店舗端末４００が送信するクーポン対象商品が存在しない旨の情報を受信して、表示手段２０５に出力する。表示手段２０５はその旨を表示し、一連の処理を終了する（ステップＳ８１０）。
【００５０】
以上に説明したように、上記の第１の実施の形態によれば、携帯端末２００を商品のプライスカード１００にかざすことにより、クーポン予約情報を携帯端末２００に蓄積することができる。利用者は、店舗端末４００と通信を行うだけで、その商品がクーポン対象商品であるか否かを容易に確認することができるとともに、クーポン対象商品である場合にはクーポンを取得することができる。また、商品がクーポン対象商品でなかった場合であっても、別の機会に再度問い合わせを行った際にクーポン対象商品となっていれば、その際にクーポンを取得することができる。したがって、利用者にとっては、面倒な検索作業を行うことなく気軽に確認してクーポンを取得することができ、有利に買い物をすることができる。また、小売店にとっては、集客効果や購買意欲の促進を期待できる。
【００５１】
実施の形態２．
次に、本発明の第２の実施の形態を図面を参照して説明する。図１１は、本発明によるクーポン管理システムの第２の実施の形態を示すブロック図である。図１１に示すクーポン管理システムは、プライスカード１００と、携帯端末２００と、店舗サーバ９００と、クーポン予約情報５００と、クーポン情報７００とを備える。携帯端末２００は、通信網８００を介して店舗サーバ９００と通信可能である。通信網８００は、例えば、携帯電話網とインターネットとで構成される。
【００５２】
店舗サーバ９００は、クーポン情報７００を備える情報処理装置である。クーポン情報７００は、クーポン対象情報とクーポン表示用データとを記憶する記憶装置である。店舗サーバ９００は、小売店を総括する本部などに設置されるコンピュータなどで実現される。利用者は、携帯端末２００を用いて、通信網８００を介して店舗サーバ９００との通信を行い、購入を検討している商品がクーポン対象商品であるか否かを確認し、クーポン対象商品である場合に、クーポン対象情報とクーポン表示用データとを取得することができる。
【００５３】
図１２は、第２の実施の形態における携帯端末２００の構成例を示すブロック図である。第２の実施の形態では、携帯端末２００は、第１の実施の形態における近距離通信手段２０４に代わって、通信手段２１４を備える。通信手段２１４は、通信網８００を介して店舗サーバ９００との通信を行う機能を有する。通信手段２０４は、例えば、内蔵するアンテナ（図示せず。）を介して携帯電話網の基地局と通信を行う無線通信機能などで実現される。
【００５４】
図１３は、第２の実施の形態における店舗サーバ９００の構成例を示すブロック図である。店舗サーバ９００は、通信手段９０１と、クーポンデータ照合手段９０２と、クーポン情報７００と、商品アクセス分析手段９０３とを備える。
【００５５】
クーポン情報７００は、クーポン対象情報とクーポン表示用データとを記憶する記憶装置である。通信手段９０１は、通信網８００を介して携帯端末２００との通信を行う機能を有する。クーポンデータ照合手段９０２は、クーポン情報７００が記憶するクーポン対象情報と携帯端末２００が送信するクーポン予約情報とを照合し、クーポン取得情報を作成する処理を実行する機能を有する。クーポンデータ照合手段９０２は、通信手段９０１を介して、携帯端末２００にクーポン取得情報を出力する。
【００５６】
商品アクセス分析手段９０３は、携帯端末２００が送信する一つまたは複数のクーポン予約情報をクーポン予約情報記憶部（図示せず。）に記憶し、クーポン予約情報の分析を行う。商品アクセス分析手段９０３は、例えば、クーポン予約情報として登録されている件数が多い商品は、多くの利用者がクーポンの確認および取得を希望している商品であるとする分析を行う。なお、第２の実施の形態のその他の構成は、第１の実施の形態と同様なため説明を省略する。
【００５７】
第２の実施の形態において、クーポン予約情報送信手段は、クーポン予約情報送信手段２０３と通信手段２１４とによって実現される。クーポン管理装置は、店舗サーバ９００によって実現される。クーポン情報記憶手段は、クーポン情報７００によって実現される。クーポン情報照合手段は、通信手段９０１とクーポンデータ照合手段９０２とによって実現される。集計表示手段は、商品アクセス分析手段９０３によって実現される。
【００５８】
次に、図１４を参照して本発明の第２の実施の形態の動作について説明する。図１４は、第２の実施の形態のクーポン管理システムの動作を示すフローチャートである。なお、ステップＳ８０１，Ｓ８０２およびステップＳ８０８の動作は、第１の実施の形態と同様なため説明を省略する。
【００５９】
ステップＳ１４０３において、利用者が、通信網８００を介して携帯端末２００から店舗サーバ９００に接続すると、クーポン予約情報送信手段２０３は、クーポン予約情報を通信手段２１４を介して店舗サーバ９００に送信する。
【００６０】
店舗サーバ９００の通信手段９０１は、携帯端末２００が送信したクーポン予約情報をクーポンデータ照合手段９０２に出力する。クーポンデータ照合手段９０２は、クーポン予約情報とクーポン情報７００が記憶するクーポン対象情報とを照合し（ステップＳ１４０４）、商品コードが一致するとともに有効期限が処理当日を含む商品があるか否かを判定する（ステップＳ１４０５）。
【００６１】
ステップＳ１４０５において、商品コードが一致するとともに有効期限が処理当日を含む商品がある場合、クーポンデータ照合手段９０２は、該当する商品に対応したクーポン対象情報とクーポン表示用データとを含むクーポン取得情報を作成する。クーポンデータ照合手段９０２は、通信手段９０１を介して、携帯端末２００にクーポン取得情報を出力する（ステップＳ１４０６）
【００６２】
携帯端末２００の通信手段２１４は、店舗サーバ９００が送信するクーポン取得情報を受信し、表示手段２０５に出力する。表示手段２０５は、クーポン取得情報に含まれるクーポン対象情報を表示する（ステップＳ１４０７）。
【００６３】
図１５は、第２の実施の形態における商品アクセス分析手段９０３の商品別集計処理の一例を示すフローチャートである。店舗サーバ９００の管理者等が、商品アクセス分析手段９０３の商品別集計処理を起動し、店舗コードを指定すると、商品アクセス分析手段９０３は、クーポン予約情報記憶部を参照して、指定した店舗コードの、商品コードが同じデータの件数を集計する（ステップＳ１５０１）。商品アクセス分析手段９０３は、ステップＳ１５０１において集計した結果を商品別集計データとして出力する（ステップＳ１５０２）。店舗サーバ９００の管理者等は、商品別集計データを、店舗サーバ９００の表示手段（図示せず。）に出力して画面上で確認したり、印刷手段（図示せず。）に出力して印刷して確認することができる。
【００６４】
図１６は、第２の実施の形態における商品アクセス分析手段９０３の店舗別集計処理の一例を示すフローチャートである。店舗サーバ９００の管理者等が、商品アクセス分析手段９０３の店舗別集計処理を起動すると、商品アクセス分析手段９０３は、クーポン予約情報記憶部を参照して、店舗コードごとに、商品コードが同じデータの件数を集計する（ステップＳ１６０１）。商品アクセス分析手段９０３は、ステップＳ１６０１において集計した結果を店舗別集計データとして出力する（ステップＳ１６０２）。店舗サーバ９００の管理者等は、店舗別集計データを、店舗サーバ９００の表示手段（図示せず。）に出力して画面上で確認したり、印刷手段（図示せず。）に出力して印刷して確認することができる。
【００６５】
以上に説明したように、上記の第２の実施の形態によれば、第１の実施の形態による効果に加えて、小売店は、利用者が携帯端末２００を用いてプライスカード１００のデータを読み込んだ商品に関するデータを集計することができる。したがって、例えば、商品別集計データを分析することにより、特定の店舗における商品ごとのクーポン予約状況を把握し、販売戦略や意志決定に役立てることができる。また、店舗別集計データを分析することにより、小売店を総括する本部や商品メーカ等において、店舗別に商品ごとのクーポン予約状況を把握し、販売戦略や意志決定に役立てることができる。小売店は、ＰＯＳシステム等による商品の売り上げに関する集計結果がない場合であっても、利用者が興味を持っている商品が何かを分析することができる。また、商品の売り上げに関する集計結果と併せて、商品の売り上げ金額と、利用者が興味を持っている商品との関係を分析することができ、分析結果を販売戦略やクーポン対象商品の検討に利用することができる。
【００６６】
実施の形態３．
次に、本発明の第３の実施の形態を図面を参照して説明する。なお、第３の実施の形態の構成は、第１の実施の形態と同様なため説明を省略する。
【００６７】
第３の実施の形態における店舗端末４００のクーポンデータ照合手段４０２は、携帯端末２００からクーポン予約情報を受信すると、クーポン予約情報とクーポン対象情報とを照合し、商品コードが一致するとともに有効期限が処理当日以降である商品があるか否かを判定し、該当する商品のデータとしてクーポン取得情報を作成して、携帯端末２００に送信する。
【００６８】
図４および図６を参照すると、商品コードが一致するとともに有効期限が処理当日以降である商品は、商品コードが「１００２（苗Ｂ）」、「２００４（種Ｘ）」および「３００５（鉢物Ｙ）」の商品である。図１７は、第３の実施の形態におけるクーポン取得情報の一例を示す説明図である。図１７に示す例では、クーポン取得情報は、商品名が「苗Ｂ」、「種Ｘ」および「鉢物Ｙ」のデータである。これらのデータの有効期限は、「苗Ｂ」および「種Ｘ」については「本日有効」、「鉢物Ｙ」については「来週から」である。
【００６９】
携帯端末２００は、商品名が「苗Ｂ」、「種Ｘ」および「鉢物Ｙ」である商品のクーポン取得情報を受信する。利用者は、処理当日は、有効期限が「本日有効」である商品「苗Ｂ」および「種Ｘ」のクーポンを利用可能であり、有効期限が「来週から」である商品「鉢物Ｙ」については、来週からクーポンを利用可能である。
【００７０】
以上に説明したように、上記の第３の実施の形態によれば、第１および第２の実施の形態による効果に加えて、利用者は、当日有効なクーポンだけでなく、将来有効となるクーポンについても取得することができる。したがって、利用者は、より有利な商品の購入計画を立てることができる。また、小売店にとっては、例えば、来週「鉢物Ｙ」を有利に購入しようとする利用者の再来店を期待できる。
【００７１】
なお、上記の各実施の形態では、携帯通信端末装置として携帯電話機を例示しているが、ＰＤＡ（Ｐｅｒｓｏｎａｌ  Ｄｉｇｉｔａｌ  Ａｓｓｉｓｔａｎｔ）などの携帯通信端末装置でもよく、携帯電話機に限定されない。
【産業上の利用可能性】
【００７２】
本発明を、購入を希望する商品についてクーポンが提供されているか否かを確認し、購入を希望する商品がクーポン対象商品である場合にクーポンを取得するために適用することができる。
【図面の簡単な説明】
【００７３】
【図１】本発明によるクーポン管理システムの第１の実施の形態を示すブロック図である。
【図２】プライスカードの構成例を示すブロック図である。
【図３】第１の実施の形態における携帯端末の構成例を示すブロック図である。
【図４】クーポン予約情報に記憶されるクーポン予約情報の一例を示す説明図である。
【図５】第１の実施の形態における店舗端末の構成例を示すブロック図である。
【図６】第１の実施の形態におけるクーポン対象情報の一例を示す説明図である。
【図７】第１の実施の形態におけるクーポン表示用データの一例を示す説明図である。
【図８】第１の実施の形態のクーポン管理システムの動作を示すフローチャートである。
【図９】第１の実施の形態のクーポン管理システムの動作の概要を示す説明図である。
【図１０】第１の実施の形態におけるクーポン取得情報の一例を示す説明図である。
【図１１】本発明によるクーポン管理システムの第２の実施の形態を示すブロック図である。
【図１２】第２の実施の形態における携帯端末の構成例を示すブロック図である。
【図１３】第２の実施の形態における店舗サーバの構成例を示すブロック図である。
【図１４】第２の実施の形態のクーポン管理システムの動作を示すフローチャートである。
【図１５】第２の実施の形態における商品アクセス分析手段の店舗別集計処理の一例を示すフローチャートである。
【図１６】第２の実施の形態における商品アクセス分析手段の商品別集計処理の一例を示すフローチャートである。
【図１７】第３の実施の形態におけるクーポン取得情報の一例を示す説明図である。
【符号の説明】
【００７４】
１００  プライスカード
２００  携帯端末
４００  店舗端末
５００  クーポン予約情報
６００  クーポン情報
【図１】
2006227901.tif 000003
【図２】
2006227901.tif 000004
【図３】
2006227901.tif 000005
【図４】
2006227901.tif 000006
【図５】
2006227901.tif 000007
【図６】
2006227901.tif 000008
【図７】
2006227901.tif 000009
【図８】
2006227901.tif 000010
【図９】
2006227901.tif 000011
【図１０】
2006227901.tif 000012
【図１１】
2006227901.tif 000013
【図１２】
2006227901.tif 000014
【図１３】
2006227901.tif 000015
【図１４】
2006227901.tif 000016
【図１５】
2006227901.tif 000017
【図１６】
2006227901.tif 000018
【図１７】
2006227901.tif 000019